(57)【要約】【課題】歩道や車道などの側において、通行者の歩行妨害になりにくく、通行者が足を引っ掛けて転倒したりしにくく、車両の走行妨害になりにくく、車両が追突しにくく、また支持台自体が破損しにくくしたフェンス支持台を提供する。【解決手段】ブロック１の平面形状を略四角形とし、この略四角形の何れかの一辺寄りに、隣合うフェンス２の片方ずつの支柱２ａの支持穴３を二個並列させて、ブロック１の上面から下方に向かって設けたものとしている。【選択図】        図１
2005016048.tif 000002
【特許請求の範囲】
【請求項１】
ブロック（１）の平面形状を略四角形とし、この略四角形の何れかの一辺寄りに、隣合うフェンス（２）の片方ずつの支柱（２ａ）の支持穴（３）を二個並列させて、ブロック（１）の上面から下方に向かって設けたことを特徴とするフェンス支持台。
【請求項２】
ブロック（１）の平面形状を略四角形とし、この略四角形の何れかの一辺寄りに、隣合うフェンス（２）の片方ずつの支柱（２ａ）の支持穴（３）を二個並列させたものを、二個並列させて、ブロック（１）の上面から下方に向かって設けたことを特徴とするフェンス支持台。
【請求項３】
ブロック（１）の平面形状を略四角形とし、この略四角形の対向する二辺寄りに、隣合うフェンス（２）の片方ずつの支柱（２ａ）の支持穴（３）をそれぞれ二個並列させて、ブロック（１）の上面から下方に向かって設けたことを特徴とするフェンス支持台。
【請求項４】
ブロック（１）の平面形状を略四角形とし、この略四角形の隣合う二辺寄りに、隣合うフェンス（２）の片方ずつの支柱（２ａ）の支持穴（３）をそれぞれ二個並列させて、ブロック（１）の上面から下方に向かって設けたことを特徴とするフェンス支持台。
【発明の詳細な説明】
【０００１】
【発明の属する技術分野】
この発明は、建築工事現場、道路工事現場などで使用されるガードフェンスなどのフェンス支持台に関するものである。
【０００２】
【従来の技術】
従来、この種のフェンス支持台は、例えば図３０に示したように、コンクリートからなる基台ブロック１１の平面形状を略四角形とし、この略四角形の基台ブロック１１の中央部にフェンス１２の支柱１２ａの支持穴１３を二個連設したものとしている（特許文献１参照）。
【０００３】
さらに、この種のフェンス支持台は、例えば図３１に示したように、コンクリートからなるウエイト２１の平面形状を略円形とし、この略円形のウエイト２１の中央部にフェンス２２の支柱２２ａの支持穴２３を二個連設したものとしている（特許文献２参照）。
【０００４】
【特許文献１】
特開平６−２２９１４８号公報（第８頁、図１８、図２２）
【特許文献２】
特開平７−６２８９２号公報（第４頁、図１、図２）
【０００５】
【発明が解決しようとする課題】
ところで、図３０に示したフェンス支持台では、建築工事現場や道路工事現場などと、歩道や車道などの間に適宜間隔をおいて基台ブロック１１を複数個設置し、図３２に示したように、それぞれの基台ブロック１１の支持穴１３に、隣合うフェンス１２の片方ずつの支柱１２ａを挿入して、複数のフェンス１２を連設して、建築工事現場や道路工事現場などと、歩道や車道などを仕切るようにしている。
【０００６】
しかし、このように設置された従来のフェンス支持台では、基台ブロック１１が建築工事現場や道路工事現場などの側と、歩道や車道などの側の双方において、同じ容積だけ突出する。この基台ブロック１１の突出部は、建築工事現場や道路工事現場などの側においては、作業者が頻繁に歩行することがなく、作業用の車が頻繁に走行するようなこともないので、それほど邪魔になることはないが、歩道や車道などの側においては、通行者が頻繁に歩行し、一般の車両も頻繁に走行するので、通行者の歩行妨害になったり、通行者が基台ブロック１１の角部に足を引っ掛けて転倒したり、車両の走行妨害になったり、車両が基台ブロック１１の追突して車両が傷ついたり、基台ブロック１１の方が破損することがあり、非常に邪魔になるという問題点を有していた。
【０００７】
また、図３１に示したフェンス支持台でも、前記フェンス支持台と同様に建築工事現場や道路工事現場などと、歩道や車道などに間に適宜間隔をおいてウエイト２１を複数個設置し、図３３に示したように、それぞれのウエイト２１の支持穴２３に、隣合うフェンス２２の片方ずつの支柱２２ａを挿入して、複数のフェンス２２を連設して、建築工事現場や道路工事現場などと、歩道や車道などを仕切るようにしている。
【０００８】
しかし、このように設置された従来のフェンス支持台でも、前記フェンス支持台と同様にウエイト２１が建築工事現場や道路工事現場などの側と、歩道や車道などの側に同じ容積だけ突出する。このウエイト２１の突出部は、前記フェンス支持台と同様に建築工事現場や道路工事現場などの側においては、それほど邪魔になることはないが、歩道や車道などの側においては、前記フェンス支持台と比べてウエイト２１に角部が存在しないため、通行者が比較的足を引っ掛けて転倒しにくいものの、前記フェンス支持台と同様に、非常に邪魔になるという問題点を有していた。
【０００９】
そこで、この発明は、上記従来の問題点を解決することをその課題としており、歩道や車道などの側において、通行者の歩行妨害になりにくく、通行者が足を引っ掛けて転倒したりしにくく、車両の走行妨害になりにくく、車両が追突しにくく、また支持台自体が破損しにくくしたフェンス支持台を提供することを目的としてなされたものである。
【００１０】
【課題を解決するための手段】
そのため、この発明のフェンス支持台は、ブロック１の平面形状を略四角形とし、この略四角形の何れかの一辺寄りに、隣合うフェンス２の片方ずつの支柱２ａの支持穴３を二個並列させて、ブロック１の上面から下方に向かって設けたものとしている。
【００１１】
そして、この発明のフェンス支持台は、ブロック１の平面形状を略四角形とし、この略四角形の何れかの一辺寄りに、隣合うフェンス２の片方ずつの支柱２ａの支持穴３を二個並列させたものを、二個並列させて、ブロック１の上面から下方に向かって設けたものとすることができる。
【００１２】
さらに、この発明のフェンス支持台は、ブロック１の平面形状を略四角形とし、この略四角形の対向する二辺寄りに、隣合うフェンス２の片方ずつの支柱２ａの支持穴３をそれぞれ二個並列させて、ブロック１の上面から下方に向かって設けたものとすることができる。
【００１３】
また、この発明のフェンス支持台は、ブロック１の平面形状を略四角形とし、この略四角形の隣合う二辺寄りに、隣合うフェンス２の片方ずつの支柱２ａの支持穴３をそれぞれ二個並列させて、ブロック１の上面から下方に向かって設けたものとすることができる。
【００１４】
【発明の実施の形態】
以下、この発明のフェンス支持台の実施の形態について、図面に基づいて詳細に説明する。
【００１５】
図１〜１７はこの発明のフェンス支持台のそれぞれの実施の形態を示しており、図１〜４は第一実施形態、図５〜９は第二実施形態、図１０〜１３は第三実施形態、図１４〜１７は第四実施形態をそれぞれ示している。
【００１６】
図１〜４に示したこの発明のフェンス支持台は、ブロック１の平面形状を略四角形とし、この略四角形の何れかの一辺寄りに、隣合うフェンス２の片方ずつの支柱２ａの支持穴３を二個並列させて、ブロック１の上面から下方に向かって設けたものとしている。そして、ブロック１の上面の四隅には小凸部４を設け、ブロック１の下面の四隅には前記小凸部４が嵌まり込む小凹部５を設け、ブロック１を重ね合わせたときに、前記小凸部４を小凹部５に嵌まり込ませることにより位置決めができ、安定した状態で複数個のブロック１を積み上げることができるようにしている。さらに、ブロック１の対向する両側面の下部には切込み部６を設け、ブロック１を運ぶときや、複数個のブロック１を積み上げたり、降ろしたりするときに、手指を引っ掛けてブロック１を持ち易いようにしている。
【００１７】
また、図示したこの発明のフェンス支持台は、並列させた二個の支持穴３を連通空間３ａにより連設したものとし、連通空間３ａの位置において支持穴３の下方に一個の連通孔７を設けたものとしているが、並列させた二個の支持穴３を分離させて設けたものとしてもよい。なお、二個の支持穴３を分離させた場合には、それぞれの支持穴３の下方に一個の連通孔７を設けたものとする。この連通孔７は、支持穴３に入った雨水や塵埃などが溜まらないようにするためのものである。
【００１８】
図５〜９に示したこの発明のフェンス支持台は、ブロック１の平面形状を略四角形とし、この略四角形の何れかの一辺寄りに、隣合うフェンス２の片方ずつの支柱２ａの支持穴３を二個並列させたものを、二個並列させて、ブロック１の上面から下方に向かって設けたものとしている。そして、ブロック１の上面の支持穴３を設けていない側の二隅および中央寄りの二個所の合計四個所には小凸部４を設け、ブロック１の下面には前記四個所の小凸部４が嵌まり込む小凹部５を設け、ブロック１を重ね合わせたときに、前記小凸部４を小凹部５に嵌まり込ませることにより位置決めができ、安定した状態で複数個のブロック１を積み上げることができるようにしている。さらに、ブロック１の対向する両側面の下部には切込み部６を設け、ブロック１を運ぶときや、複数個のブロック１を積み上げたり、降ろしたりするときに、手指を引っ掛けてブロック１を持ち易いようにしている。
【００１９】
また、図示したこの発明のフェンス支持台は、並列させた二個の支持穴３を連通空間３ａにより連設したものとし、連通空間３ａの位置において支持穴３の下方に一個の連通孔７を設けたものとしているが、並列させた二個の支持穴３を分離させて設けたものとしてもよい。なお、二個の支持穴３を分離させた場合には、それぞれの支持穴３の下方に一個の連通孔７を設けたものとする。この連通孔７は、支持穴２に入った雨水や塵埃などが溜まらないようにするためのものである。
【００２０】
図１０〜１３に示したこの発明のフェンス支持台は、ブロック１の平面形状を略四角形とし、この略四角形の対向する二辺寄りに、隣合うフェンス２の片方ずつの支柱２ａの支持穴３をそれぞれ二個並列させて、ブロック１の上面から下方に向かって設けたものとしている。そして、ブロック１の上面の四隅には小凸部４を設け、ブロック１の下面の四隅には前記小凸部４が嵌まり込む小凹部５を設け、ブロック１を重ね合わせたときに、前記小凸部４を小凹部５に嵌まり込ませることにより位置決めができ、安定した状態で複数個のブロック１を積み上げることができるようにしている。さらに、ブロック１の対向する両側面の下部には切込み部６を設け、ブロック１を運ぶときや、複数個のブロック１を積み上げたり、降ろしたりするときに、手指を引っ掛けてブロック１を持ち易いようにしている。
【００２１】
また、図示したこの発明のフェンス支持台は、並列させた二個の支持穴３を連通空間３ａにより連設したものとし、連通空間３ａの位置において支持穴３の下方に一個の連通孔７を設けたものとしているが、並列させた二個の支持穴３を分離させて設けたものとしてもよい。なお、二個の支持穴３を分離させて設けた場合には、それぞれの支持穴３の下方に一個の連通孔７を設けたものとする。この連通孔７は、支持穴３に入った雨水や塵埃などが溜まらないようにするためのものである。
【００２２】
図１４〜１７に示したこの発明のフェンス支持台は、ブロック１の平面形状を略四角形とし、この略四角形の隣合う二辺寄りに、隣合うフェンス２の片方ずつの支柱２ａの支持穴３をそれぞれ二個並列させて、ブロック１の上面から下方に向かって設けたものとしている。そして、ブロック１の上面の四隅には小凸部４を設け、ブロック１の下面の四隅には前記小凸部４が嵌まり込む小凹部５を設け、ブロック１を重ね合わせたときに、前記小凸部４を小凹部５に嵌まり込ませることにより位置決めができ、安定した状態で複数個のブロック１を積み上げることができるようにしている。さらに、ブロック１の対向する両側面の下部には切込み部６を設け、ブロック１を運ぶときや、複数個のブロック１を積み上げたり、降ろしたりするときに、手指を引っ掛けてブロック１を持ち易いようにしている。
【００２３】
また、図示したこの発明のフェンス支持台は、並列させた二個の支持穴３を連通空間３ａにより連設したものとし、連通空間３ａの位置において支持穴３の下方に一個の連通孔７を設けたものとしているが、並列させた二個の支持穴３を分離させて設けたものとしてもよい。なお、二個の支持穴３を分離させて設けた場合には、それぞれの支持穴３の下方に一個の連通孔７を設けたものとする。この連通孔７は、支持穴２に入った雨水や塵埃などが溜まらないようにするためのものである。
【００２４】
前記ブロック１は、何れの実施形態においても、コンクリート塊、合成樹脂塊、合成ゴム塊、アスファルト塊などからなるものとすることができ、重量のあるものとするのが、安定性の面から好ましい。また、ブロック１の平面形状は略四角形であればよいが、支持穴３にフェンス２の支柱２ａを支持したときの安定性の面から言えば、長方形より正方形にするのが好ましいといえる。
【００２５】
前記フェンス２は、何れの実施形態においても、両端の二本の支柱２ａの間に横枠２ｂを掛け渡し、ネット８を張り渡したものとしているが、その構造が特に限定されるものではなく、フェンス２を支持するための支柱２ａを両端に二本設けたものであればよく、ネット８に代えて盲板（図示せず）等を張り付けて、視界を遮るようなものにしてもよい。
【００２６】
前記支持穴３は、何れの実施形態においても、その断面形状を略円形としているが、フェンス２の支柱２ａの断面形状に応じた形状に適宜選択できるのはいうまでもない。
【００２７】
以上のように構成したこの発明のフェンス支持台は、以下のようにして使用する。
【００２８】
先ず、図１〜４に示したフェンス支持台は、例えば図１８、１９に示したように、ブロック１を建築工事現場Ｗ側に置き、建築工事現場Ｗと歩道Ｓの境界線にブロック１に設けた支持穴３を沿わせるようにして、ブロック１を歩道Ｓ側に少し突き出させる。そして、二個並列させた支持穴３のそれぞれに、隣合うフェンス２の片方ずつの支柱２ａを差し込んで支持する。このようにすれば、ブロック１にフェンス２が支持された状態において、ブロック１は歩道Ｓ側に少し突き出しているだけであるので、通行者の邪魔になることがない。
【００２９】
次に、図５〜９に示したフェンス支持台は、例えば図２０、２１に示したように、ブロック１を建築工事現場Ｗ側に置き、建築工事現場Ｗと歩道Ｓの境界線にブロック１に設けた支持穴３を沿わせるようにして、ブロック１を歩道Ｓ側に少し突き出させる。そして、二個並列させたもののそれぞれの内側寄りの二個の支持穴３のそれぞれに、隣合うフェンス２の片方ずつの支柱２ａを差し込んで支持する。このようにすれば、ブロック１にフェンス２が支持された状態において、ブロック１は歩道Ｓ側に少し突き出しているだけであるので、通行者に邪魔になることがない。
【００３０】
さらに、この図５〜９に示したフェンス支持台は、例えば図２２、２３に示したように、建築工事現場Ｗのコーナ部においてブロック１を建築工事現場Ｗ側に置き、建築工事現場Ｗと歩道Ｓの直交する境界線の一方にブロック１に設けた支持穴３を沿わせるようにして、ブロック１を歩道Ｓ側に少し突き出させる。そして、二個並列させたもののコーナ部よりのそれぞれの支持穴３に、直角に交差するフェンス２の片方ずつの支柱２ａを差し込んで支持することもできる。このようにすれば、ブロック１にフェンス２が支持された状態において、ブロック１は歩道Ｓ側に少し突き出しているだけであるので、通行者に邪魔になることがない。
【００３１】
また、図１０〜１３に示したフェンス支持台は、例えば図２４、２５に示したように、ブロック１を建築工事現場Ｗ側に置き、建築工事現場Ｗと歩道Ｓの境界線にブロック１に設けた歩道Ｓ寄りの支持穴３を沿わせるようにして、ブロック１を歩道Ｓ側に少し突き出させる。そして、境界線に沿わせた側の二個並列させた支持穴３のそれぞれに、隣合うフェンス２の片方ずつの支柱２ａを差し込んで支持する。このようにすれば、ブロック１にフェンス２が支持された状態において、ブロック１は歩道Ｓ側に少し突き出しているだけであるので、通行者に邪魔になることがない。
【００３２】
さらにまた、図１４〜１７に示したフェンス支持台は、例えば図２６、２７に示したように、ブロック１を建築工事現場Ｗ側に置き、建築工事現場Ｗと歩道Ｓの境界線にブロック１の隣合う二辺寄りに設けた一方の二個並列させた支持穴３を沿わせるようにして、ブロック１を歩道Ｓ側に少し突き出させる。そして、境界線に沿わせた側の二個並列させた支持穴３のそれぞれに、隣合うフェンス２の片方ずつの支柱２ａを差し込んで支持する。このようにすれば、ブロック１にフェンス２が支持された状態において、ブロック１は歩道Ｓ側に少し突き出しているだけであるので、通行者に邪魔になることがない。
【００３３】
さらに、この図１４〜１７に示したフェンス支持台は、例えば図２８、２９に示したように、建築工事現場Ｗのコーナ部においてブロック１を建築工事現場Ｗ側に置き、建築工事現場Ｗと歩道Ｓの直交する境界線にブロック１の隣合う二辺寄りにそれぞれ二個並列させた支持穴３を沿わせるようにして、ブロック１を歩道Ｓ側に少し突き出させる。そして、それぞれ二個並列させた支持穴３のコーナ部よりの支持穴３のそれぞれに、直角に交差するフェンス２の片方ずつの支柱２ａを差し込んで支持することもできる。このようにすれば、ブロック１にフェンス２が支持された状態において、ブロック１は歩道Ｓ側に少し突き出しているだけであるので、通行者に邪魔になることがない。
【００３４】
【発明の効果】
この発明のフェンス支持台は、以上に述べたように構成されているので、歩道や車道などの側において、通行者の歩行妨害になりにくく、通行者が足を引っ掛けて転倒したりしにくく、車両の走行妨害になりにくく、車両が追突しにくく、また支持台自体が破損しにくいものとなる。
【図面の簡単な説明】
【図１】この発明のフェンス支持台の第一実施形態の斜視図である。
【図２】この発明のフェンス支持台の第一実施形態の平面図である。
【図３】図２中のＡ−Ａ線によるこの発明のフェンス支持台の断面図である。
【図４】図２中のＢ−Ｂ線によるこの発明のフェンス支持台の断面図である。
【図５】この発明のフェンス支持台の第二実施形態の斜視図である。
【図６】この発明のフェンス支持台の第二実施形態の平面図である。
【図７】図６中のＣ−Ｃ線によるこの発明のフェンス支持台の断面図である。
【図８】図６中のＤ−Ｄ線によるこの発明のフェンス支持台の断面図である。
【図９】図６中のＥ−Ｅ線によるこの発明のフェンス支持台の断面図である。
【図１０】この発明のフェンス支持台の第三実施形態の斜視図である。
【図１１】この発明のフェンス支持台の第三実施形態の平面図である。
【図１２】図１１中のＦ−Ｆ線によるこの発明のフェンス支持台の断面図である。
【図１３】図１１中のＧ−Ｇ線によるこの発明のフェンス支持台の断面図である。
【図１４】この発明のフェンス支持台の第四実施形態の斜視図である。
【図１５】この発明のフェンス支持台の第四実施形態の平面図である。
【図１６】図１５中のＨ−Ｈ線によるこの発明のフェンス支持台の断面図である。
【図１７】図１５中のＩ−Ｉ線によるこの発明のフェンス支持台の断面図である。
【図１８】この発明のフェンス支持台の第一実施形態の使用状態を示す斜視図である。
【図１９】この発明のフェンス支持台の第一実施形態の使用状態を示す平面図である。
【図２０】この発明のフェンス支持台の第二実施形態の一使用状態を示す斜視図である。
【図２１】この発明のフェンス支持台の第二実施形態の一使用状態を示す平面図である。
【図２２】この発明のフェンス支持台の第二実施形態の他の使用状態を示す斜視図である。
【図２３】この発明のフェンス支持台の第二実施形態の他の使用状態を示す平面図である。
【図２４】この発明のフェンス支持台の第三実施形態の使用状態を示す斜視図である。
【図２５】この発明のフェンス支持台の第三実施形態の使用状態を示す平面図である。
【図２６】この発明のフェンス支持台の第四実施形態の一使用状態を示す斜視図である。
【図２７】この発明のフェンス支持台の第四実施形態の一使用状態を示す平面図である。
【図２８】この発明のフェンス支持台の第四実施形態の他の使用状態を示す斜視図である。
【図２９】この発明のフェンス支持台の第四実施形態の他の使用状態を示す平面図である。
【図３０】従来のフェンス支持台の一例を示す平面図である。
【図３１】従来のフェンス支持台の一例の使用状態を示す斜視図である。
【図３２】従来のフェンス支持台の他例を示す斜視図である。
【図３３】従来のフェンス支持台の他例の使用状態を示す斜視図である。
【符号の説明】
１  ブロック
２  フェンス
２ａ  支柱
３  支持穴
【図１】
2005016048.tif 000003
【図２】
2005016048.tif 000004
【図３】
2005016048.tif 000005
【図４】
2005016048.tif 000006
【図５】
2005016048.tif 000007
【図６】
2005016048.tif 000008
【図７】
2005016048.tif 000009
【図８】
2005016048.tif 000010
【図９】
2005016048.tif 000011
【図１０】
2005016048.tif 000012
【図１１】
2005016048.tif 000013
【図１２】
2005016048.tif 000014
【図１３】
2005016048.tif 000015
【図１４】
2005016048.tif 000016
【図１５】
2005016048.tif 000017
【図１６】
2005016048.tif 000018
【図１７】
2005016048.tif 000019
【図１８】
2005016048.tif 000020
【図１９】
2005016048.tif 000021
【図２０】
2005016048.tif 000022
【図２１】
2005016048.tif 000023
【図２２】
2005016048.tif 000024
【図２３】
2005016048.tif 000025
【図２４】
2005016048.tif 000026
【図２５】
2005016048.tif 000027
【図２６】
2005016048.tif 000028
【図２７】
2005016048.tif 000029
【図２８】
2005016048.tif 000030
【図２９】
2005016048.tif 000031
【図３０】
2005016048.tif 000032
【図３１】
2005016048.tif 000033
【図３２】
2005016048.tif 000034
【図３３】
2005016048.tif 000035